(57)【要約】【課題】表示画面内にばらついて発生するフリッカを低減する。【解決手段】液晶表示装置は複数の画素電極ＰＥが略マトリクス状に配置されるアレイ基板１、共通電極ＣＥが複数の画素電極ＰＥに対向して配置される対向基板２、第１および第２電極基板１，２間に挟持される液晶層３を含む表示パネルＤＰと、複数の画素電極ＰＥおよび共通電極ＣＥ間に映像信号に対応しかつ周期的に極性反転される液晶駆動電圧を保持させるパネル駆動回路ＣＮＴとを備える。パネル駆動回路ＣＮＴは共通電極ＣＥにおいて複数の画素電極ＰＥにそれぞれ対向する範囲に分布する電位を複数の画素電極ＰＥの電位振幅の中心レベルにそれぞれ近づけるように共通電極ＣＥの少なくとも２箇所に独立な電位を設定する配線およびコントローラ５を含む。【選択図】図１
2007193122.tif 000002
【特許請求の範囲】
【請求項１】
複数の画素電極が略マトリクス状に配置される第１電極基板、共通電極が前記複数の画素電極に対向して配置される第２電極基板、並びに前記第１および第２電極基板間に挟持される液晶層を含む表示パネルと、前記複数の画素電極および前記共通電極間に映像信号に対応しかつ周期的に極性反転される液晶駆動電圧を保持させる駆動回路とを備え、前記駆動回路は前記共通電極において前記複数の画素電極にそれぞれ対向する範囲に分布する電位を前記複数の画素電極の電位振幅の中心レベルにそれぞれ近づけるように前記共通電極の少なくとも２箇所に独立な電位を設定する電位設定部を含むことを特徴とする液晶表示装置。
【請求項２】
前記第１電極基板は前記複数の画素電極の行に沿って配置される複数の走査線、前記複数の画素電極の列に沿って配置される複数の信号線、および前記複数の走査線および前記複数の信号線の近傍に配置され各々対応走査線を介して駆動されたときに対応信号線の電位を対応画素電極に印加する複数の薄膜トランジスタを含み、前記電位設定部は前記少なくとも２箇所として前記複数の走査線の一端側および他端側にそれぞれ設定される第１および第２部位にそれぞれ供給される第１および第２コモン電位を生成するコモン電位生成部を含むことを特徴とする請求項１に記載の液晶表示装置。
【請求項３】
前記コモン電位生成部は前記第１および第２コモン電位をそれぞれ出力する第１および第２電位供給回路、並びに前記第１および第２コモン電位としてそれぞれ出力される前記第１および第２電位供給回路の出力電位をそれぞれ可変する第１および第２電位調整回路を含むことを特徴とする請求項２に記載の液晶表示装置。
【請求項４】
前記コモン電位生成部は前記第１コモン電位を出力する第１電位供給回路、前記第１コモン電位として出力される前記第１電位供給回路の出力電位を電位調整電圧により可変する第１電位調整回路、および前記電位調整電圧の分圧結果に基いて前記第１電位供給回路の出力電位に対して所定比率に設定される出力電位を前記第２コモン電位として出力する第２電位供給回路を含むことを特徴とする請求項２に記載の液晶表示装置。
【請求項５】
前記電位設定部はさらに前記第１電極基板上において前記コモン電位生成部から生成される前記第１および第２コモン電位をそれぞれ受取る第１および第２配線部材と、前記第１配線部材と前記第１部位との間および前記第２配線部材と前記第２部位との間に配置される複数の電極転移材とを含むことを特徴とする請求項２に記載の液晶表示装置。
【請求項６】
前記コモン電位生成部は前記第１電極基板に隣接して設けられる前記駆動回路用の配線基板上に配置される配線部材を介して前記第１および第２配線部材に接続されることを特徴とする請求項５に記載の液晶表示装置。
【発明の詳細な説明】
【技術分野】
【０００１】
本発明は、複数の画素電極およびこれら画素電極に対向する共通電極間に映像信号に対応しかつ周期的に極性反転される液晶駆動電圧を保持させる液晶表示装置に関する。
【背景技術】
【０００２】
例えば液晶表示装置のような平面表示装置は、コンピュータ、カーナビゲーションシステム、あるいはテレビ受信機等において画像を表示するために広く利用されている。
【０００３】
液晶表示装置は、液晶表示パネルおよびこの液晶表示パネルを駆動する駆動回路を有する。液晶表示パネルはアレイ基板および対向基板間に液晶層を挟持した構造である。
【０００４】
アレイ基板は略マトリクス状に配置される複数の画素電極、複数の画素電極の行に沿って配置される複数の走査線、複数の画素電極の列に沿って配置される複数の信号線、複数の走査線および複数の信号線の交差位置近傍に画素スイッチング素子として配置され各々対応走査線が駆動されたときに対応信号線を対応画素電極に電気的接続する複数の薄膜トランジスタ（ＴＦＴ）を有する。対向基板には、アレイ基板に配置された複数の画素電極に対向するように共通電極が設けられる。一対の画素電極および共通電極はこれら電極間に位置する液晶層の一部である画素領域と共に液晶画素を構成し、画素電極および共通電極間の液晶駆動電圧に対応して画素領域に生成される電界によって液晶分子配列を制御する（特許文献１を参照）。
【０００５】
図９は液晶表示パネルに設けられる各液晶画素の等価回路を示す。ここで、画素電極ＰＥの電位は、信号線Ｘから薄膜トランジスタＷを介して信号電位Ｖsに設定され、共通電極ＣＥの電位はコモン電位Ｖcomに設定され、これらの電位差が液晶駆動電圧となる。この液晶駆動電圧は画素電極ＰＥおよび共通電極ＣＥ間の液晶容量Ｃlc およびこの液晶容量Ｃlc に並列的に設けられる補助容量Ｃst により保持される。但し、薄膜トランジスタＷが非導通になって画素電極ＰＥを信号線Ｘから電気的に分離すると、液晶容量Ｃlc および補助容量Ｃst 内の電荷の一部が薄膜トランジスタＷのゲート−ドレイン間に存在する寄生容量Ｃgdに移動する。この結果、画素電極ＰＥの電位は信号電位Ｖｓからシフトしてしまう。画素電極ＰＥの電位シフト量は、突抜電圧ΔＶと呼ばれ、次式で表される。
【０００６】
突抜電圧ΔＶ＝Ｃgd×ΔＶg / (Ｃst + Ｃlc + Ｃgd)
また、液晶層内の液晶分子は常に一方向に作用する電界によって偏在化し、この偏在化が時間経過に伴なって進行すると、最終的に表示動作のために液晶分子配列を制御できなくなる。このため、例えば画素電極ＰＥを共通電極ＣＥに対して交流駆動して、画素電極ＰＥおよび共通電極ＣＥ間の電位関係、すなわち液晶駆動電圧の極性を周期的に反転させることが必要となる。この極性反転では、液晶駆動電圧を極性に依存して変動させないように、コモン電位Ｖcomが突抜電圧ΔＶ分だけ信号電位Ｖｓからシフトした画素電極ＰＥの電位振幅の中心レベルに最適化される。
【特許文献１】特開２００２−２０２４９１号公報
【発明の開示】
【発明が解決しようとする課題】
【０００７】
ところで、共通電極ＣＥは図１０に等価回路として示すようなシート抵抗を持つことから、終端の電位は給電端の電位よりも低下する。従って、給電端の電位が給電端に対応する画素電極ＰＥの電位振幅の中心レベルに一致していても、終端の電位が終端に対応する画素電極ＰＥの電位振幅の中心レベルからずれることになる。
【０００８】
また、図１１に示すように、走査線Ｙは配線抵抗を持つことから、走査線電位Ｖgは走査線駆動回路が設けられた給電端Ａ側において急峻に立ち下がる波形となるが、走査線駆動回路から最も遠い終端側において給電端側での波形に対して遅延され緩やかに立ち下がる波形となる。このため、終端側の薄膜トランジスタは給電端側の薄膜トランジスタＷと比べて速やかに導通状態から非導通状態に変化しない。走査線電位Ｖgの立下り開始後において、寄生容量Ｃgdは薄膜トランジスタＷが完全に非導通になる前に信号線Ｘから寄生容量Ｃgdに流れるリーク電流によっても充電される。この結果として、液晶容量Ｃlcおよび補助容量Ｃstから寄生容量Ｃgdに移動する電荷量が減少し、終端側の薄膜トランジスタＷによる突抜電圧ΔＶは給電端側の薄膜トランジスタＷによる突抜電圧ΔＶよりも小さくなる。
【０００９】
図１２は図１１に示す給電端付近で得られる液晶駆動電圧を示す。図１２において、Ｖs'は、薄膜トランジスタＷが完全に非導通になった後に画素電極ＰＥに実際に設定される信号電位であって、信号電位Ｖｓを突抜電圧ΔＶ分だけシフトさせた波形になっている。従来では、走査線Ｙの配線抵抗による走査線電位Ｖg の立下りの遅れや共通電極ＣＥのシート抵抗による電位低下の影響を十分考慮していなかったため、コモン電位Ｖcomが図１２に示す信号電位Ｖｓ’の振幅に等しい画素電極ＰＥの電位振幅の中心レベルに一致するように最適化されて、給電端に印加される。この給電端付近では、液晶駆動電圧が極性に依存せずにほぼ同じ値になる。
【００１０】
図１３は図１１に示す終端付近で得られる液晶駆動電圧を示す。走査線電位Ｖg の立下りは走査線Ｙの配線抵抗によって遅れるため、突抜電圧ΔＶは図１２に示す状態よりも小さくなる。薄膜トランジスタＷが完全に非導通になると、信号電位Ｖｓがこの突抜電圧ΔＶ分だけシフトされ、信号電位Ｖs'として画素電極ＰＥに実際に設定される。共通電極ＣＥの電位は給電端でコモン電位Ｖcomである。共通電極ＣＥのシート抵抗による電位低下が存在しないと仮定すれば、共通電極ＣＥの電位は終端でもコモン電位Ｖcomとなるが、このコモン電位Ｖcomは図１３に示すように信号電位Ｖｓ’の振幅に等しい画素電極ＰＥの電位振幅の中心レベルからずれている。実際には、共通電極ＣＥのシート抵抗による電位降下が存在し、これが共通電極ＣＥの電位を終端でコモン電位ＶcomからＶcom'に低下させる。このコモン電位Ｖcom’と信号電位Ｖｓ’の振幅に等しい画素電極ＰＥの電位振幅の中心レベルとの差はコモン電位Ｖcomとこの中心レベルとの差よりも大きい。従って、終端付近では、液晶駆動電圧が極性に依存して大きく異なる値になる。
【００１１】
上述した走査線Ｙの配線抵抗による走査線電位Ｖg の立下りの遅れや共通電極ＣＥのシート抵抗による電位低下の影響として、液晶駆動電圧が極性反転において不均等になる場合、これが表示画面に発生するフリッカとして観察され、その度合が画面内の位置によってばらつくという問題を生じる。
【００１２】
本発明の目的は、表示画面内にばらついて発生するフリッカを低減できる液晶表示装置を提供することにある。
【課題を解決するための手段】
【００１３】
本発明によれば、複数の画素電極が略マトリクス状に配置される第１電極基板、共通電極が複数の画素電極に対向して配置される第２電極基板、並びに第１および第２電極基板間に挟持される液晶層を含む表示パネルと、複数の画素電極および共通電極間に映像信号に対応しかつ周期的に極性反転される液晶駆動電圧を保持させる駆動回路とを備え、駆動回路は共通電極において複数の画素電極にそれぞれ対向する範囲に分布する電位を複数の画素電極の電位振幅の中心レベルにそれぞれ近づけるように共通電極の少なくとも２箇所に独立な電位を設定する電位設定部を含む液晶表示装置が提供される。
【発明の効果】
【００１４】
この液晶表示装置では、電位設定部が共通電極において複数の画素電極にそれぞれ対向する範囲に分布する電位をこれら複数の画素電極の電位振幅の中心レベルにそれぞれ近づけるように共通電極の少なくとも２箇所に独立な電位を設定する。これにより、少なくとも共通電極の平面内の電位傾斜を少なくすることができる。また、複数の画素電極間の突抜電圧の違いによって複数の画素電極の電位振幅の中心レベルに傾斜がある場合でも、独立な電位を共通電極の少なくとも２箇所に設定することで、この中心レベルの傾斜による影響を低減できる。従って、表示画面内にばらついて発生するフリッカを低減できる。
【発明を実施するための最良の形態】
【００１５】
以下、本発明の第１実施形態に係る液晶表示装置について添付図面を参照して説明する。図１はこの液晶表示装置の回路構成を概略的に示す。液晶表示装置は液晶表示パネルＤＰ、および表示パネルＤＰに接続されるパネル駆動回路ＣＮＴを備える。液晶表示パネルＤＰは一対の電極基板であるアレイ基板１および対向基板２間に液晶層３を挟持した構造である。
【００１６】
アレイ基板１は、例えばガラス等の透明絶縁基板上に略マトリクス状に配置される複数の画素電極ＰＥ、複数の画素電極ＰＥの行に沿って配置される複数の走査線Ｙ（Ｙ１〜Ｙｍ）、複数の画素電極ＰＥの列に沿って配置される複数の信号線Ｘ（Ｘ１〜Ｘｎ）、並びにこれら走査線Ｙおよび信号線Ｘの交差位置近傍に配置され各々対応走査線Ｙを介して駆動されたときに対応信号線Ｘおよび対応画素電極ＰＥ間で導通する画素スイッチング素子として複数の薄膜トランジスタＷを有する。各薄膜トランジスタＷのゲートは対応走査線Ｙに接続され、ソース−ドレインパスが対応信号線Ｘおよび対応画素電極ＰＥ間に接続される。
【００１７】
対向基板２は例えばガラス等の透明絶縁基板上に配置されるカラーフィルタ、および複数の画素電極ＰＥに対向してカラーフィルタ上に配置される共通電極ＣＥ等を含む。複数の画素電極ＰＥおよび共通電極ＣＥは例えばＩＴＯ(Indium Tin Oxide)等の透明電極材料からなり、配向膜でそれぞれ覆われる。一対の画素電極ＰＥおよび共通電極ＣＥはこれら電極ＰＥ，ＣＥ間に位置する液晶層３の一部である画素領域と共に液晶画素ＰＸを構成し、画素電極ＰＥおよび共通電極ＣＥ間の液晶駆動電圧に対応して画素領域に生成される電界によって液晶分子配列を制御する。画素電極ＰＥの電位は例えば１垂直走査期間（１Ｖ）毎に共通電極ＣＥの電位に対して反転され、これにより液晶駆動電圧の極性を反転して液晶分子の偏在化を阻止する。
【００１８】
また、複数の液晶画素ＰＸは各々画素電極ＰＥおよび共通電極ＣＥ間に液晶容量Ｃlcを有し、さらに補助容量Ｃstが液晶容量Ｃlcに並列に接続される。
【００１９】
パネル駆動回路ＣＮＴは、複数の薄膜トランジスタＷを行単位に導通させるように複数の走査線Ｙ１〜Ｙｍを順次駆動する走査線駆動回路ＹＤ、各行の薄膜トランジスタＷが対応走査線Ｙの駆動によって導通する期間において信号電位Ｖsを複数の信号線Ｘ１〜Ｘｎにそれぞれ出力する信号線駆動回路ＸＤ、外部から入力される映像信号に対して走査線駆動回路ＹＤおよび信号線駆動回路ＸＤの動作タイミング等を制御するコントローラ５を含む。
【００２０】
走査線駆動回路ＹＤは複数の走査線Ｙの一端側に配置される。信号線駆動回路ＸＤは複数の信号線Ｘの一端側に配置される。コントローラ５は、順次複数の走査線Ｙを駆動するための制御信号ＣＴＹおよび、映像信号から１行分の画素ＰＸ単位に得られる直列な画素データＤＡＴＡ、出力極性を指定してこれら画素データＤＡＴＡを複数の信号線Ｘにそれぞれ割り当てるための制御信号ＣＴＸ、画像データＤＡＴＡを信号電位Ｖsに変換するために用いられる所定数の階調基準電圧ＶＲＥＦ等を発生する。制御信号ＣＴＹはコントローラ５から一対の走査線駆動回路ＹＤに供給され、制御信号ＣＴＸ、画素データＤＡＴＡ、階調基準電圧ＶＲＥＦはコントローラ５から信号線駆動回路ＸＤに供給される。
【００２１】
走査線駆動回路ＹＤは制御信号ＣＴＹの制御により１垂直走査期間（１Ｖ）において複数の走査線Ｙ１〜Ｙｍを順次選択し、各行の薄膜トランジスタＷを１水平走査期間（１Ｈ）だけ導通させるように選択走査線Ｙの走査線電位Ｖgを設定する。信号線駆動回路ＸＤは１水平走査期間毎に１行分の画素ＰＸに対して供給される画素データＤＡＴＡを所定数の階調基準電圧ＶＲＥＦを参照してそれぞれ信号電位Ｖsに変換し、複数の信号線Ｘ１〜Ｘｎに並列的に出力する。
【００２２】
走査線駆動回路ＹＤが例えば走査線Ｙ１の走査線電位Ｖgを立ち上げてこの走査線Ｙ１に接続された全ての薄膜トランジスタＷを導通させると、信号線Ｘ１〜Ｘｎ上の信号電位Ｖsがこれら薄膜トランジスタＷをそれぞれ介して１行分の画素電極ＰＥに印加される。
【００２３】
図２は図１に示す液晶表示装置の配線構造を示す。この液晶表示装置では、図２に示すように、配線基板ＢＳＹが走査線駆動回路ＹＤに対して設けられ、配線基板ＢＳＸが信号線駆動回路ＸＤに対して設けられる。走査線駆動回路ＹＤは各々所定数の隣接走査線Ｙに接続される複数のテープキャリアパッケージＴＣＰ１により構成される。各テープキャリアパッケージＴＣＰ１は走査線駆動ＩＣ１０をフレキシブル配線板１１にマウントして一体化したものである。信号線駆動回路ＸＤは各々所定数の隣接信号線Ｘに接続される複数のテープキャリアパッケージＴＣＰ２により構成される。各テープキャリアパッケージＴＣＰ２は信号線駆動ＩＣ２０をフレキシブル配線板２１にマウントして一体化したものである。フレキシブル配線板１１は配線基板ＢＳＹおよびアレイ基板１間のブリッジ配線を有し、フレキシブル配線板２１は配線基板ＢＳＸおよびアレイ基板１間のブリッジ配線を有する。配線基板ＢＳＹ，ＢＳＸは複数のテープキャリアパッケージＴＣＰ１間の共通配線および複数のテープキャリアパッケージＴＣＰ２間の共通配線をそれぞれ有する。コントローラ５から電源電圧、制御信号等は、上述のフレキシブル配線板１１，２１のブリッジ配線および配線基板ＢＳＹ，ＢＳＸの共通配線からなるバス配線ＢＳを介して走査線駆動回路ＹＤおよび信号線駆動回路ＸＤに配給される。
【００２４】
パネル駆動回路ＣＮＴは共通電極ＣＥにおいて複数の画素電極ＰＥにそれぞれ対向する範囲に分布する電位を複数の画素電極ＰＥの電位振幅の中心レベルにそれぞれ近づけるように上述のバス配線ＢＳの一部を用いて共通電極ＣＥの少なくとも２箇所に独立な電位を設定する電位設定部を有する。この電位設定部はアレイ基板１上において液晶層３用シール部材の外側に配置され複数の走査線Ｙ１〜Ｙｍの一端側および他端側にそれぞれ対応する共通電極ＣＥの第１および第２外縁部にそれぞれ対向する共通電極配線ＣＷ１，ＣＷ２、共通電極配線ＣＷ１を第１外縁部に並ぶ複数の給電端Ａに接続し共通電極配線ＣＷ２を第２外縁部に並ぶ複数の給電端Ｂに接続する導電ペーストである複数の電極転移材ＰＳ、配線基板ＢＳＹ，ＢＳＸおよびフレキシブル配線板１１，２１に配置されるバス配線ＢＳ、並びにおよびコントローラ５内に設けられ第１コモン電位ＶcomＡおよび第２コモン電位ＶcomＢを発生するコモン電位生成部ＣＭを含む。第１コモン電位ＶcomＡは配線基板ＢＳＸおよびフレキシブル配線板２１のバス配線ＢＳの一部を介して共通電極配線ＣＷ１に供給され、第２コモン電位ＶcomＢは配線基板ＢＳＸおよびフレキシブル配線板２１のバス配線ＢＳの他の一部を介して共通電極配線ＣＷ２に供給される。第１コモン電位ＶcomＡはさらに共通電極配線ＣＷ１から共通電極配線ＣＷ１上に配置された８個の電極転移材ＰＳを介して８個の給電端Ａに印加され、第２コモン電位ＶcomＢはさらに共通電極配線ＣＷ２から共通電極配線ＣＷ２上に配置された８個の電極転移材ＰＳを介して８個の給電端Ｂに印加される。
【００２５】
ちなみに、コモン電位生成部ＣＭはコモン電位ＶcomＡおよびコモン電位ＶcomＢをそれぞれ出力する第１および第２電位供給回路５１，５２、並びにコモン電位ＶcomＡおよびコモン電位ＶcomＢとしてそれぞれ出力される第１および第２電位供給回路の出力電位をそれぞれ可変する第１および第２電位調整回路５３，５４を含む。電位供給回路５１，５２はオペアンプを用いて構成され、電位調整回路５３，５４は固定抵抗および可変抵抗を直列に接続した分圧器を用いて構成される。
【００２６】
図３は図２に示す給電端Ａ付近で得られる液晶駆動電圧を示す。図３において、Ｖs'は、薄膜トランジスタＷが完全に非導通になった後に画素電極ＰＥに実際に設定される信号電位であって、信号電位Ｖｓを突抜電圧ΔＶ分だけシフトさせた波形になっている。コモン電位ＶcomＡは図３に示す信号電位Ｖｓ’の振幅に等しい画素電極ＰＥの電位振幅の中心レベルに一致するように最適化されて、給電端Ａに印加される。この給電端Ａ付近では、液晶駆動電圧が極性に依存せずにほぼ同じ値になる。
【００２７】
図４は図２に示す給電端Ｂ付近で得られる液晶駆動電圧を示す。走査線電位Ｖg の立下りは走査線Ｙの配線抵抗によって遅れる、このため突抜電圧ΔＶは図３に示す状態よりも小さくなる。薄膜トランジスタＷが完全に非導通になると、信号電位Ｖｓがこの突抜電圧ΔＶ分だけシフトされ、信号電位Ｖs'として画素電極ＰＥに実際に設定される。コモン電位ＶcomＢは図４に示す信号電位Ｖｓ’の振幅に等しい画素電極ＰＥの電位振幅の中心レベルに一致するように最適化されて、給電端Ｂに印加される。この給電端Ｂ付近では、液晶駆動電圧が極性に依存せずにほぼ同じ値になる。共通電極ＣＥはシート抵抗を有するため、給電端Ａ，Ｂから離れるほど大きくなる電位低下が依然として存在するが、共通電極ＣＥの電位を例えば給電端Ａだけで設定する場合よりも電位低下の最大値は低下する。また、給電端Ｂのコモン電位ＶcomＢについては、走査線Ｙの配線抵抗によって変化する突抜電圧ΔＶに基いて最適化されることになるため、この配線抵抗の影響をなくすことができる。
【００２８】
本実施形態によれば、独立なコモン電位ＶcomＡ，ＶcomＢが共通電極ＣＥにおいて複数の画素電極ＰＥにそれぞれ対向する範囲に分布する電位を複数の画素電極ＰＥの電位振幅の中心レベルにそれぞれ近づけるようにバス配線ＢＳの一部を用いて共通電極ＣＥの給電端Ａおよび給電端Ｂの２箇所に設定される。これにより、少なくとも共通電極ＣＥの平面内の電位傾斜を少なくすることができる。また、複数の画素電極ＰＥ間の突抜電圧ΔＶの違いによって複数の画素電極ＰＥの電位振幅の中心レベルに傾斜がある場合でも、コモン電位ＶcomＡ，ＶcomＢを給電端Ａおよび給電端Ｂに設定することで、この中心レベルの傾斜による影響を低減できる。従って、表示画面内にばらついて発生するフリッカを低減できる。尚、給電端Ａおよび給電端Ｂの電極転移材配置および電極転移材数については、フリッカの低減効果を促進するために、自由に変更可能である。
【００２９】
次に本発明の第２実施形態に係る液晶表示装置について説明する。図５はこの液晶表示装置の回路構成を概略的に示し、図６は図５に示す液晶表示装置の配線構造を示す。図５および図６では、第１実施形態と同様な部分を同一参照符号で表し、その詳細な説明を簡略化あるいは省略する。図５に示すように、この液晶表示装置は走査線駆動回路ＹＤが複数の走査線Ｙ１〜Ｙｍの一端側だけでなく他端側にも配置されることにおいて第１実施形態の液晶表示装置と相違する。すなわち、複数の走査線Ｙ１〜Ｙｍは互いに同様に構成された一対の走査線駆動回路ＹＤにより同時に駆動される。従って、コントローラ５からの制御信号ＣＴＹについても、一対の走査線駆動回路ＹＤの両方に供給される。
【００３０】
また、図６に示すように、共通電極配線ＣＷ１，ＣＷ２はアレイ基板１上において液晶層３用シール部材の外側に配置され複数の走査線Ｙ１〜Ｙｍの一端側および他端側にそれぞれ対応する共通電極ＣＥの第１および第２外縁部にそれぞれ対向するが、第１および第２外縁部の範囲が図２に示すものと相違する。さらに、第１コモン電位ＶcomＡは共通電極配線ＣＷ１から共通電極配線ＣＷ１上に配置された４個の電極転移材ＰＳを介して４個の給電端Ａに印加され、第２コモン電位ＶcomＢはさらに共通電極配線ＣＷ２から共通電極配線ＣＷ２上に配置された４個の電極転移材ＰＳを介して４個の給電端Ｂに印加される。これら４個の給電端Ａおよび４個の給電端Ｂは給電端数だけでなく、共通電極配線ＣＷ１，ＣＷ２上の位置についても図２に示すものと相違している。また、配線基板ＢＳＸ，ＢＳＹおよびフレキシブル配線板１１，２２のバス配線ＢＳはアレイ基板１上の共通電極配線ＣＷ１，ＣＷ２より低い配線抵抗にすることが可能であるため、共通電極配線ＣＷ１，ＣＷ２は給電バイパス用にこれらバス配線ＢＳにも接続されている。
【００３１】
ちなみに、コモン電位生成部ＣＭは図２に示す構成でもよいが、ここではコモン電位ＶcomＡを出力する第１電位供給回路５１、コモン電位ＶcomＡとして出力される第１電位供給回路５１の出力電位を電位調整電圧により可変する電位調整回路５３、および電位調整回路５３から電位調整電圧の分圧結果に基いて第１電位供給回路５１の出力電位に対して所定比率に設定される出力電位をコモン電位ＶcomＢとして出力する第２電位供給回路５２を含む。ここで、電位調整回路５３からの電位調整電圧は２個の固定抵抗を直接に接続した分圧器５５で分圧される。
【００３２】
本実施形態によれば、第１実施形態と同様に、独立なコモン電位ＶcomＡ，ＶcomＢが共通電極ＣＥにおいて複数の画素電極ＰＥにそれぞれ対向する範囲に分布する電位を複数の画素電極ＰＥの電位振幅の中心レベルにそれぞれ近づけるようにバス配線ＢＳの一部を用いて共通電極ＣＥの給電端Ａおよび給電端Ｂの２箇所に設定される。これにより、少なくとも共通電極ＣＥの平面内の電位傾斜を少なくすることができる。また、複数の画素電極ＰＥ間の突抜電圧ΔＶの違いによって複数の画素電極ＰＥの電位振幅の中心レベルに傾斜がある場合でも、コモン電位ＶcomＡ，ＶcomＢを給電端Ａおよび給電端Ｂに設定することで、この中心レベルの傾斜による影響を低減できる。従って、表示画面内にばらついて発生するフリッカを低減できる。特に本実施形態の構成では、一対の走査線駆動回路ＹＤが複数の走査線Ｙ１〜Ｙｍの両端側に設けられるため、走査線電位Ｖgの遅延による突抜電圧ΔＶの差異が減少する。従って、コモン電位ＶcomＡ，ＶcomＢの最適化によって補正すべき電位レベルも小さくなり、共通電極ＣＥにおいて複数の画素電極ＰＥにそれぞれ対向する範囲に分布する電位を複数の画素電極ＰＥの電位振幅の中心レベルにそれぞれさらに近づけることが可能になる。尚、給電端Ａおよび給電端Ｂの電極転移材配置および電極転移材数については、第１実施形態と同様にフリッカの低減効果を促進するために、自由に変更可能である。
【００３３】
図７は図６に示す液晶表示装置の配線構造の第１変形例を示す。この変形例では、給電端Ａおよび給電端Ｂの電極転移材配置が図６に示すものと異なっているが、フリッカの低減効果を促進するためにこのような構成にすることが適切である場合がある。
【００３４】
図８は図６に示す液晶表示装置の配線構造の第２変形例を示す。この変形例では、給電端Ａおよび給電端Ｂの電極転移材配置が図６に示すものと異なっているだけでなく、給電端Ｃがさらに共通電極ＣＥに設けられ、共通電極配線ＣＷ３がこの給電端Ｃに対向して配置される。共通電極配線ＣＷ３は電極転移材ＰＳにより共通電極ＣＥの給電端Ｃに接続され、コモン電位ＶcomＣが配線基板ＢＳＸおよびプリント配線板２１のバス配線ＢＳを介して共通電極配線ＣＷ３に印加され、この共通電極配線ＣＷ３から対応電極転移材ＰＳを介してこの給電端Ｃに印加される。コモン電位ＶcomＣは、第１コモン電位ＶcomＡおよび第２コモン電位ＶcomＢと同様に図２または図６に示すような方式でコモン電位生成部ＣＭで生成される。この変形例のような構成であると、フリッカの低減効果を促進するためにより細かく最適な電極転移材配置および電極転移材数を設定することが可能になる。
【００３５】
尚、本発明は上述の実施形態に限定されず、その要旨を逸脱しない範囲で様々に変形可能である。
【００３６】
各実施形態および各変形例では、コモン電位生成部ＣＭはアレイ基板１に隣接して設けられる信号線駆動回路ＸＤおよび走査線駆動回路ＹＤ用の配線基板ＢＳＸ，ＢＳＹ上に配置されるバス配線ＢＳを介して共通電極配線ＣＷ１，ＣＷ２，ＣＷ３に接続されるが、配線基板ＢＳＸ，ＢＳＹから独立したケーブル等を介して共通電極配線ＣＷ１，ＣＷ２，ＣＷ３の少なくとも１つに接続されてもよい。さらに、コモン電位生成部ＣＭはアレイ基板１上のＣＷ１，ＣＷ２，ＣＷ３のいずれかを介さずに独立したケーブル等を介して共通電極ＣＥの給電端Ａ，Ｂ，Ｃの少なくとも１つに接続されてもよい。
【図面の簡単な説明】
【００３７】
【図１】本発明の第１実施形態に係る液晶表示装置の回路構成を概略的に示す図である。
【図２】図１に示す液晶表示装置の配線構造を示す図である。
【図３】図２に示す走査線駆動回路に隣接した給電端付近で得られる液晶駆動電圧を示す波形図である。
【図４】図２に示す走査線駆動回路から最も遠い給電端付近で得られる液晶駆動電圧を示す波形図である。
【図５】本発明の第２実施形態に係る液晶表示装置の回路構成を概略的に示す図である。
【図６】図５に示す液晶表示装置の配線構造を示す図である。
【図７】図６に示す液晶表示装置の配線構造の第１変形例を示す図である。
【図８】図６に示す液晶表示装置の配線構造の第２変形例を示す図である。
【図９】液晶表示パネルに設けられる各液晶画素の等価回路を示す図である。
【図１０】図９に示す共通電極のシート抵抗を等価回路で示す図である。
【図１１】図９に示す走査線の配線抵抗を等価回路で示す図である。
【図１２】図１１に示す給電端付近で得られる液晶駆動電圧を示す波形図である。
【図１３】図１１に示す終端付近で得られる液晶駆動電圧を示す波形図である。
【符号の説明】
【００３８】
１…アレイ基板、２…対向基板、３…液晶層、５…コントローラ、１０…走査線駆動ＩＣ、１１…フレキシブル配線板、２０…信号線駆動ＩＣ、２１…フレキシブル配線板、ＢＰＸ，ＢＰＹ…配線基板、ＢＳ…バス配線、ＣＥ…共通電極、Ｃlc…液晶容量、Ｃst…補助容量、ＣＭ…コモン電位生成部、ＣＮＴ…パネル駆動回路、ＣＷ１〜ＣＷ３…共通電極配線、ＤＰ…液晶表示パネル、ＰＳ…電極転移材、ＰＥ…画素電極、ＰＸ…液晶画素、ＴＣＰ１，ＴＣＰ２…テープキャリアパッケージ、Ｗ…薄膜トランジスタ、Ｙ…走査線、Ｘ…信号線、ＹＤ…走査線駆動回路、ＸＤ…信号線駆動回路。
【図１】
2007193122.tif 000003
【図２】
2007193122.tif 000004
【図３】
2007193122.tif 000005
【図４】
2007193122.tif 000006
【図５】
2007193122.tif 000007
【図６】
2007193122.tif 000008
【図７】
2007193122.tif 000009
【図８】
2007193122.tif 000010
【図９】
2007193122.tif 000011
【図１０】
2007193122.tif 000012
【図１１】
2007193122.tif 000013
【図１２】
2007193122.tif 000014
【図１３】
2007193122.tif 000015